(57)【要約】      （修正有）【課題】筆記具の軸筒部の外径が変化してもガタ付くことなく抜け止めすることができるクリップ付き筆記具用保護キャップを提供する。【解決手段】挿入された筆記具の尖端部を保護するキャップ１にクリップ２が一体化されたクリップ付き筆記具用保護キャップＡであって、筆記具Ｗの軸筒部Ｗ２と径方向へ対向する筒状部１１に径方向へ弾性変形可能な径調整部１１ａを有するキャップ１と、径方向へ弾性変形可能なバンド部２２を有するクリップ２と、を備え、バンド部２２は、その内径が筒状部１１の外径よりも小径に形成される環状体２２ａを有し、環状体２２ａが筒状部１１の径方向外側に取り付けられる。【選択図】図１
0003230004.tif 000002
【実用新案登録請求の範囲】
【請求項１】
挿入された筆記具の尖端部を保護するキャップにクリップが一体化されたクリップ付き筆記具用保護キャップであって、
前記筆記具の軸筒部と径方向へ対向する筒状部に径方向へ弾性変形可能な径調整部を有する前記キャップと、
径方向へ弾性変形可能なバンド部を有する前記クリップと、を備え、
前記バンド部は、その内径が前記筒状部の外径よりも小径に形成される環状体を有し、前記環状体が前記筒状部の径方向外側に取り付けられることを特徴とするクリップ付き筆記具用保護キャップ。
【請求項２】
前記環状体が、周方向の一部に隙間を有することを特徴とする請求項１記載のクリップ付き筆記具用保護キャップ。
【請求項３】
前記筒状部が、前記バンド部の一端と軸方向へ係合する係止部を有することを特徴とする請求項１又は２記載のクリップ付き筆記具用保護キャップ。
【考案の詳細な説明】
【技術分野】
【０００１】
本考案は、鉛筆などの筆記尖端を保護するために用いられるキャップと、筆記具を衣服や着用物などに取り付けるためのクリップと、が一体化されたクリップ付き筆記具用保護キャップに関する。
【背景技術】
【０００２】
従来、この種のクリップ付き筆記具用保護キャップとして、やや弾性を有するプラスチック製の比較的長い円筒の両端部の内径を、鉛筆の径と等径とするとともに、内面に突起を形成し、また内方に向って収斂するテーパー状に形成し、円筒の外周面にクリップのような転動阻止部を設けた鉛筆キャップ兼ホルダーがある（例えば、特許文献１参照）。
円筒の内径は、鉛筆の径と等径で内面に突起が設けられ、かつプラスチックがやや弾性を有するから、円筒へ鉛筆を嵌装すれば、鉛筆の周面が突起に圧接し、大きい摩擦を生じるので鉛筆が抜けることがない。
円筒の孔は、鉛筆の径と等径の両端部から中央部に向かって内方へ徐々に突出するテーパー状に形成することにより、円筒の中央部が肉厚となり堅牢になって、破損しないように構成されている。
【先行技術文献】
【特許文献】
【０００３】
【特許文献１】実開昭５２−０９１２３０号公報
【考案の概要】
【考案が解決しようとする課題】
【０００４】
しかし乍ら、特許文献１では、鉛筆の嵌挿に伴い突起の圧接とプラスチック製の円筒が有する弾性力で径方向へ締め付けている。
このため、鉛筆の外径サイズが想定していたサイズよりも小径の場合には、鉛筆の周面に突起が圧接せずガタ付いて、鉛筆を確実に抜け止めできないことがある。クリップによりポケットの縁へ固定した状態で、円筒から鉛筆が抜け落ちた場合には、鉛筆の芯が折れることや刺さるなどのトラブルを発生するという問題があった。
【課題を解決するための手段】
【０００５】
このような課題を解決するために本考案に係るクリップ付き筆記具用保護キャップは、挿入された筆記具の尖端部を保護するキャップにクリップが一体化されたクリップ付き筆記具用保護キャップであって、前記筆記具の軸筒部と径方向へ対向する筒状部に径方向へ弾性変形可能な径調整部を有する前記キャップと、径方向へ弾性変形可能なバンド部を有する前記クリップと、を備え、前記バンド部は、その内径が前記筒状部の外径よりも小径に形成される環状体を有し、前記環状体が前記筒状部の径方向外側に取り付けられることを特徴とする。
【図面の簡単な説明】
【０００６】
【図１】本考案の実施形態に係るクリップ付き筆記具用保護キャップの全体構成を示す説明図であり、要部を部分的に切欠した正面図である。
【図２】同一部切欠側面図である。
【図３】図１の（３）−（３）線に沿える同横断平面図である。
【図４】分解状態と組み立て手順を示した正面図である。
【考案を実施するための形態】
【０００７】
以下、本考案の実施形態を図面に基づいて詳細に説明する。
本考案の実施形態に係るクリップ付き筆記具用保護キャップＡは、図１〜図４に示すように、筆記具Ｗの尖端部Ｗ１を保護するキャップ１に対してクリップ２が一体的に組み付けられた筆記具用保持具である。
筆記具Ｗの尖端部Ｗ１としては、鉛筆の芯，ボールペンや万年筆のペン先などが挙げられる。鉛筆の芯の場合には、芯が折れることや刺さることを防ぎ、ボールペンや万年筆のペン先の場合には、ペン先が破損しないように保護される。
詳しく説明すると、本考案の実施形態に係るクリップ付き筆記具用保護キャップＡは、筆記具Ｗの尖端部Ｗ１が挿入されるキャップ１と、キャップ１に対して一体的に組み付けられるクリップ２と、を主要な構成要素として備えている。
【０００８】
キャップ１は、真鍮やアルミニウムなど金属又は合成樹脂などの弾性変形可能な硬質材料によって、断面形状が円形の筒状、又は断面形状が三角形や四角形や六角形や多角形の筒状に形成され、少なくとも軸方向の一部に筒状部１１を有する。
筒状部１１は、その内部に挿入された筆記具Ｗの軸筒部Ｗ２と径方向へ対向するように配置され、その周方向の一部に径調整部１１ａを有する。径調整部１１ａによって筒状部１１が、径方向へ弾性変形可能な構造に構成される。
つまり、筒状部１１は、キャップ１の内部に筆記具Ｗの軸筒部Ｗ２を挿入することより、径調整部１１ａで弾性的に拡径変形するとともに、軸筒部Ｗ２を径方向へ締め付けて脱落防止される。このため、筒状部１１のサイズは、筆記具Ｗの軸筒部Ｗ２の外径に対応してそれよりも若干小さくなるように予め想定されている。
さらに、筒状部１１は、後述するバンド部２２の一端と軸方向へ係合する係止部１１ｂを有することが好ましい。係止部１１ｂは、筒状部１１に対するバンド部２２の組み付けに伴って、バンド部２２の一端と係合することにより、筒状部１１に対してバンド部２２が軸方向へ位置ズレ不能に位置決めされる。
【０００９】
キャップ１の具体例として図１〜図４に示される場合には、円筒部材の一端に閉鎖部１２を有する略弾頭形状などの有底筒状に形成され、円筒部材の他端開口側に筒状部１１を一体形成している。
径調整部１１ａとしては、円筒部材の軸方向へ直線状のスリットが切欠形成される。このスリットは、円筒部材の他端開口と連通して、スリットの間隔が広がることにより、筒状部１１を拡径変形させ、スリットの間隔が狭くなることにより、筒状部１１を縮径変形させている。
係止部１１ｂとしては、円筒部材の周方向へ環状の突部が屈曲形成される。この環状の突部は、径調整部１１ａのスリットと交差状に一つのみ形成される。
また、キャップ１の他の例として図示しないが、閉鎖部１２を有する有底筒状に代えて、円筒部材の両端を開口させることや、係止部１１ｂの環状突部を後述するバンド部２２の両端と軸方向へ係合するように二つ形成することや、径調整部１１ａのスリットや係止部１１ｂの環状突部を図示例以外の形状や構造に変更することが可能である。
【００１０】
クリップ２は、キャップ１で保護された筆記具Ｗを衣服のポケットやその他の個所又は着用物などに取り付けるための留め具であり、炭素鋼やその他のばね鋼などの金属又は合成樹脂などの弾性変形可能な硬質材料によって形成される。
クリップ２は、杆状に形成されるクリップ本体２１と、クリップ本体２１に一体形成又は連結固定（固着）されるバンド部２２と、を有する。
バンド部２２は、キャップ１の筒状部１１の外周面に沿って形成される環状体２２ａを有し、環状体２２ａが筒状部１１の径方向外側に取り付けられる。
バンド部２２の環状体２２ａのサイズは、筒状部１１の想定された外径よりも更に小径となるように設定される。このため、バンド部２２を筒状部１１の径方向外側に挿着して一体的に組み付けることにより、バンド部２２で筒状部１１が径方向へ弾性的に締め付けられて、筒状部１１の径調整部（スリット）１１ａの間隔が狭くなる。
さらに、バンド部２２において環状体２２ａの一部に隙間２２ｂを有することが好ましいる。隙間２２ｂによって環状体２２ａは、その周方向の一部が分断される。
【００１１】
クリップ２の具体例として図１〜図４に示される場合には、帯板状のクリップ本体２１の一端にＣ字状のバンド部２２が連結部２３を介して一体形成され、クリップ本体２１の他端には挟持部２４を一体形成している。
図示例では、所定の形状に裁断された平板をプレス加工することで、連結部２３の側面形状がくの字形に屈曲形成され、挟持部２４を部分的に突出させている。
また、クリップ２の他の例として図示しないが、連結部２３の側面形状を逆Ｕ字形に屈曲形成するなど、クリップ本体２１や連結部２３や挟持部２４の形状を図示例外の形状に変更することも可能である。
【００１２】
このような本考案の実施形態に係るクリップ付き筆記具用保護キャップＡによると、クリップ２のバンド部２２をキャップ１の筒状部１１の径方向外側に取り付けることにより、バンド部２２で筒状部１１が径方向へ弾性的に締め付けられる。
このため、キャップ１の筒状部１１は、筆記具Ｗの軸筒部Ｗ２の外径に対応して予め想定された内径サイズよりも更に縮径変形される。
このキャップ１の筒状部１１に対して筆記具Ｗの軸筒部Ｗ２を挿入することにより、バンド部２２の締め付けで弾性的に縮径変形した筒状部１１の内周面が、筆記具Ｗの軸筒部Ｗ２に圧接する。
したがって、筆記具Ｗの軸筒部Ｗ２の外径が変化してもガタ付くことなく抜け止めすることができる。
その結果、鉛筆の嵌挿に伴い突起の圧接とプラスチック製の円筒が有する弾性力で径方向へ締め付ける従来のものに比べ、軸筒部Ｗ２の外径サイズが想定していたサイズよりも小径であっても、キャップ１から筆記具Ｗが抜け落ちることがなく、筆記具Ｗの尖端部Ｗ１の損傷を確実に防止でき、安全性に優れる。
【００１３】
特に、環状体２２ａが、周方向の一部に隙間２２ｂを有することが好ましい。
この場合には、キャップ１の筒状部１１に対するバンド部２２の組み付けに伴って隙間２２ｂの間隔が変化することにより、環状体２２ａの内径が全体的に弾性変形する。
したがって、簡単な構造のバンド部２２で筒状部１１を径方向へ弾性的に締め付けることができる。
その結果、簡単な構造でありながらキャップ１の筒状部１１に対するバンド部２２の組み付けが容易でしかも確実に連結固定できる。
このため、クリップ２でキャップ１を衣服や着用物へ確実に取り付けることが可能になり、利便性に優れる。
また、筆記具Ｗの軸筒部Ｗ２の挿入に伴いクリップ２のバンド部２２を介して隙間２２ｂの間隔が変化することにより、環状体２２ａの内径が全体的に弾性変形する。
したがって、筆記具Ｗの軸筒部Ｗ２の外径サイズが多少変化しても、バンド部２２で筒状部１１を径方向へ弾性的に締め付けて確実に抜け止めすることもできる。
【００１４】
さらに、筒状部１１が、バンド部２２の一端と軸方向へ係合する係止部１１ｂを有することが好ましい。
この場合には、筒状部１１の係止部１１ｂにバンド部２２の一端が係合することにより、キャップ１に対してバンド部２２が軸方向へ位置決めされる。
したがって、係止部１１ｂでバンド部２２を軸方向へ位置ズレ不能に固定することができる。
その結果、簡単な構造でキャップ１の筒状部１１に対してクリップ２のバンド部２２を軸方向へ確実に連結固定できる。
このため、クリップ２でキャップ１を衣服や着用物へ確実に固定可能になり、利便性に優れる。
【００１５】
なお、前示の実施形態において図示例では、有底筒状のキャップ１に対してバンド部２２が一体形成されたクリップ２を組み付けたが、これに限定されず、キャップ１を両端が開口した筒状に変更することや、クリップ２のクリップ本体２１にバンド部２２を連結固定（固着）することなど、変更してもよい。
この場合においても、前述した図示例と同様な作用や利点が得られる。
【符号の説明】
【００１６】
Ａ  クリップ付き筆記具用保護キャップ
１  キャップ                            １１  筒状部
１１ａ  径調整部                        １１ｂ  係止部
２  クリップ                            ２２  バンド部
２２ａ  環状体                          ２２ｂ  隙間
Ｗ  筆記具                              Ｗ１  尖端部
Ｗ２  軸筒部
【図１】
0003230004.tif 000003
【図２】
0003230004.tif 000004
【図３】
0003230004.tif 000005
【図４】
0003230004.tif 000006